(57)【要約】      （修正有）【課題】構造及び操作が簡単で便利であり、使用する際のリアル感と面白みが加わり、体力及び筋力トレーニングの目的を効果的に達成できるローイングマシンを提供する。【解決手段】ローイングマシンは、ベース１０、２個のローイング装置２０、駆動装置６０、ステップ装置３０、昇降装置４０及びシート５０から構成される。ローイング装置は、使用者の体を載せて昇降することにより、使用者自身の体重を利用して、両手、両足、腹部、胸部等前身の筋肉をほぐし、トレーニングの目的も効果的に果すことを特徴とする。また、従来のような油圧シリンダーを用いないため、コストを大幅に削減すると共に故障も少ない。【選択図】図２
0003130693.tif 000002
【実用新案登録請求の範囲】
【請求項１】
ベースを備えたローイングマシンであって、
２個のローイング装置は、それぞれベースの両側の上に設置され、それぞれベースに固定された固定軸を有し、カバーは固定軸にはめ込まれ、一端に振れ板が、他端に耳が設置され、ローイングバーの下端は左右に回転する状態でカバーの耳の位置に軸固定され、
ステップ装置には振り子ロッドが設置され、一端が前後に振れることが可能な軸はめ込み式でベースの前端に設置されていて、他端にはステップが設置され、
昇降装置は、少なくとも２個のキャリアロッドが設置され、それらは平行で一端は上下が対応する形で固定栓によってベースに軸固定され、他端には連結ロッドが連結され、キャリアロッドの一端には駆動ロッドが設置され、連結ロッドの上端は導入レールが設置され、
シートは、昇降装置の導入レールに設置され、
駆動装置は、第一連結ロッドを有し、軸接続状態でローイング装置の振れ板とステップ装置の振り子ロッドの間に接続されることにより、ローイング装置とステップ装置は連動して動作し、ローイングバーが後ろに引っ張られて、カバーの振れ板が前に振れると、ステップ装置の振り子ロッドが前に押し出されて前に振れ、逆に、ローイングバーが前に押された時、振り子ロッドが後ろに振れる動作をし、第二連結ロッドは、軸接続状態でステップ装置の振り子ロッドと昇降装置の駆動ロッドの間に設置されていることにより、昇降装置とステップ装置及びローイング装置は連動して動作し、ローイングバーが後ろに引っ張られて、ステップ装置の振り子ロッドが前に振れると、昇降装置のキャリアロッドを前に下に引っ張り、２個のキャリアロッドの他端の連結ロッドが垂直に上昇し、逆に、ローイングバーが前に押され、ステップ装置の振り子ロッドが後ろに振れる時、昇降装置の連結ロッドもまた連動して下に動くことを特徴とする、ローイングマシン。
【請求項２】
昇降装置の前方のベースに支え装置が設置されると共に、支え装置はストッパー及び調整栓を有し、昇降装置の駆動ロッドの前に振れる角度を制限することを特徴とする請求項１に記載のローイングマシン。
【請求項３】
ベースと昇降装置の位置に負荷装置が設置され、負荷装置は負荷板を有し、負荷板は昇降装置のキャリアロッド部分に設置され、固定板はベース並びに負荷板の一側面に固定され、固定版の上に摩擦片が設置されて負荷板に対応し、活動片が固定板に軸固定され、活動片は負荷板の他側面に位置し調整栓のストッパーとして支えて移動の調整を行ない、活動片の上には摩擦片が設置されて負荷板に対応することを特徴とする請求項１に記載のローイングマシン。
【請求項４】
負荷装置の活動片は上が薄く下が厚い斜面体を有し、調整栓のストッパーを調整して支えて、更に、長形の穴を有して調整栓を貫通させることを特徴とする請求項１又は請求項３に記載のローイングマシン。
【考案の詳細な説明】
【技術分野】
【０００１】
本考案は、ローイングマシンに関し、特に、構造及び操作が簡単で便利であり、使用する際のリアル感と面白みが加わり、体力及び筋力トレーニングの目的を効果的に達成できるローイングマシンに関する技術である。
【背景技術】
【０００２】
従来の多くの一般的なローイングマシンは、図１に示すように、平行スライドレール１の上にシート２がスライド設置され、２本の平行スライドレール１の外側には、それぞれ回転パイプ３があり、２個の回転パイプ３には、それぞれ油圧シリンダー４と十字型ジョイント５が設置されているタイプである。十字型ジョイント５の位置には、さらに、ローイングアーム６が設置される。また、２本の平行スライドレール１の前端の間には、２個のステップ７が設置されて、これらによって構成される。
【０００３】
操作する際は、シート２に座り、両足をステップ７の上に置き、両手で２つのローイングアーム６を操作してローイング動作をする。両手がローイングアーム６を操作して後ろに引くと、油圧シリンダー４のピストン４１は、外に引っ張られてダンパー作用が生じる。そして、両足がステップ７に置かれることで力が入り、徐々にまっすぐに伸ばされて、シート２が平行スライドレール１に沿って後ろにスライドする。
【０００４】
両手がローイングアーム６を前に押して、油圧シリンダー４のピストン４１が内縮すると、両足が徐々に曲げられ、臀部は前に向かってやや力を入れるのでシート２が前に移動し、次の後ろにローイングアーム６を後ろに引く動作の準備をする。
【０００５】
油圧シリンダー４のダンパー作用を利用して、ローイングアーム６を操作することで、両手、両足及び腹部のトレーニングを図り、筋肉の疲れをほぐすことができる。
【考案の開示】
【考案が解決しようとする課題】
【０００６】
しかしながら、上述の従来のローイングマシンの構造及び動作は、室内トレーニングの目的及び効果は果せるものの、以下のような欠点が見られる。
【０００７】
１．両手、両足のトレーニングを図り、筋肉の疲れをほぐすという動作は、完全に油圧シリンダーのダンパー作用によって達成されるものである。しかし、油圧シリンダーの採用は製造コストの上昇を招くと共に、長期間使用によってオイル漏れが発生するという欠点がある。
【０００８】
２．シートは、使用者の体重を受け、常にスライドレール上を前後にスライドする。しかし、長時間使用すると、スライド部分が磨耗してスライドがスムーズに行えないという現象が生じる。これは、ローイングマシンの操作をスムーズに行うことができず、運動効果が大きくダウンするという欠点がある。
【０００９】
３．両手でローイングアームを操作してローイング動作をする際、使用者の体とシートを前後にスライドする動作を行う必要がある。これは、実際のローイング動作と反対であるため、使用時においてリアル感と面白みに欠けるという欠点がある。
【００１０】
本考案は、上述の欠点を解決するローイングマシンを提供することを課題とする。
【課題を解決するための手段】
【００１１】
請求項１に記載した考案は、ベースを備えたローイングマシンであって、２個のローイング装置は、それぞれベースの両側の上に設置され、それぞれベースに固定された固定軸を有し、カバーは固定軸にはめ込まれ、一端に振れ板が、他端に耳が設置され、ローイングバーの下端は左右に回転する状態でカバーの耳の位置に軸固定され、ステップ装置には振り子ロッドが設置され、一端が前後に振れることが可能な軸はめ込み式でベースの前端に設置されていて、他端にはステップが設置され、昇降装置は、少なくとも２個のキャリアロッドが設置され、それらは平行で一端は上下が対応する形で固定栓によってベースに軸固定され、他端には連結ロッドが連結され、キャリアロッドの一端には駆動ロッドが設置され、連結ロッドの上端は導入レールが設置され、シートは、昇降装置の導入レールに設置され、駆動装置は、第一連結ロッドを有し、軸接続状態でローイング装置の振れ板とステップ装置の振り子ロッドの間に接続されることにより、ローイング装置とステップ装置は連動して動作し、ローイングバーが後ろに引っ張られて、カバーの振れ板が前に振れると、ステップ装置の振り子ロッドが前に押し出されて前に振れ、逆に、ローイングバーが前に押された時、振り子ロッドが後ろに振れる動作をし、第二連結ロッドは、軸接続状態でステップ装置の振り子ロッドと昇降装置の駆動ロッドの間に設置されていることにより、昇降装置とステップ装置及びローイング装置は連動して動作し、ローイングバーが後ろに引っ張られて、ステップ装置の振り子ロッドが前に振れると、昇降装置のキャリアロッドを前に下に引っ張り、２個のキャリアロッドの他端の連結ロッドが垂直に上昇し、逆に、ローイングバーが前に押され、ステップ装置の振り子ロッドが後ろに振れる時、昇降装置の連結ロッドもまた連動して下に動くことを特徴とするローイングマシンである。
【００１２】
請求項２に記載の考案は、昇降装置の前方のベースに支え装置が設置されると共に、支え装置はストッパー及び調整栓を有し、昇降装置の駆動ロッドの前に振れる角度を制限することを特徴とする請求項１に記載のローイングマシンである。
【００１３】
請求項３に記載の考案は、ベースと昇降装置の位置に負荷装置が設置され、負荷装置は負荷板を有し、負荷板は昇降装置のキャリアロッド部分に設置され、固定板はベース並びに負荷板の一側面に固定され、固定版の上に摩擦片が設置されて負荷板に対応し、活動片が固定板に軸固定され、活動片は負荷板の他側面に位置し調整栓のストッパーとして支えて移動の調整を行ない、活動片の上には摩擦片が設置されて負荷板に対応することを特徴とする請求項１に記載のローイングマシンである。
【００１４】
請求項４に記載の考案は、負荷装置の活動片は上が薄く下が厚い斜面体を有し、調整栓のストッパーを調整して支えて、更に、長形の穴を有して調整栓を貫通させることを特徴とする請求項１又は請求項３に記載のローイングマシンである。
【考案の効果】
【００１５】
本考案のローイングマシンは、トレーニング時に必要なダンパーを使用者自身の体重に置き換えたため、従来のローイングマシンのように油圧シリンダーは不要である。従って、製作コストを大幅に削減することが可能であり、故障等による修理の必要性も少ない。
【００１６】
そして、本考案のローイングマシンは、ローイング動作を行なう際、使用者を載せたシートが昇降動作を行い、従来のローイングマシンのようにシートは前後に移動しない。従って、操作上、従来のローイングマシンに頻繁に発生していた、シートのスライドがスムーズさに欠けるという問題も発生しない。
【００１７】
特に、従来のローイングマシンで発生していた、実際のローイング動作とは逆となるという欠点も克服し、使用者がリアル感を味わうと共に面白みも増す。
【００１８】
更には、従来のローイングマシンの欠点を解決するため、本考案のローイングマシンは、ステップ装置が前後に振れる動作を行い、昇降装置がシートを載せ、駆動装置が同時にローイング装置、ステップ装置、昇降装置を駆動させることができるため、ローイング動作時において、両足がステップ装置の振り子運動に伴って自動的に屈伸動作を行なう。又、昇降装置も連動して使用者の体を載せて昇降するため、使用者自身の体重を利用して、両手、両足、腹部、胸部等前身の筋肉をほぐし、トレーニングの目的も効果的に果すことが可能である。
【考案を実施するための最良の形態】
【００１９】
図２、図３、図４、図５、図６を参照しながら、本考案のローイングマシンの詳しい説明を行なう。尚、下記は本考案の好適な実施例であり、具体的な構成は、これらの実施例に限られるものではなく、本考案の要旨を逸脱しない範囲の設計変更等は、本考案に含まれるものである。
【００２０】
本考案のローイングマシンは、ベース１０を備えると共に、以下の装置が設置される。２個のローイング装置２０は、それぞれベース１０の左右両側に上に設置されて、それぞれベース１０に固定される固定軸２０１を有し、カバー２０２は固定軸２０１にはめ込まれて、一端に振れ板２０２１が、他端に耳２０２２が設置される。ローイングバー２０３の下端は、固定栓２０３１によって左右に回転する状態で、カバー２０２の耳２０２２の位置に軸固定される。他端には固定栓２０３１が設置される。
【００２１】
ローイングバー２０３は、固定栓２０３１を支点にして左右に振れる他、前後にも移動することが可能である。そして、カバー２０２が固定軸２０１を軸にして自由に回転する（図５及び図６を参照）。
【００２２】
ステップ装置３０には、振り子ロッド３０１が設置される。振り子ロッド３０１は、一端が固定栓３０１１によって前後に振れることが可能な軸はめ込み式であり、ベース１０の前端に設置されている。他端には、ステップ３０２が設置されて使用者が足を置くことができる。
【００２３】
昇降装置４０には、２個のキャリアロッド４０１が設置される。キャリアロッド４０１は平行であり、一端は上下が対応するように固定栓４０１１によってベース１０に軸固定され、他端には連結ロッド４０２が連結され、キャリアロッド４０１の一端には駆動ロッド４０１２が設置される。
【００２４】
また、連結ロッド４０２の上端には、導入レール４０３が設置されている。駆動ロッド４０１２を動かすと、２個のキャリアロッド４０１に連結された他端の連結ロッド４０２及び導入レール４０３が垂直に昇降動作を行なう。
【００２５】
シート５０は、昇降装置４０の導入レール４０３に設置され、随時垂直に昇降動作を行なう。
【００２６】
駆動装置６０は、第一連結ロッド６０１を有し、軸接続状態でローイング装置２０の振れ板２０２１と、ステップ装置３０の振り子ロッド３０１の間に接続されていることにより、ローイング装置２０とステップ装置３０が連動して動作する。
【００２７】
そして、ローイングバー２０３が後ろに引っ張られて、カバー２０２の振れ板２０２１が前に振れると、ステップ装置３０の振り子ロッド３０１が押し出されて前に振れる。逆に、ローイングバー２０３が前に押されると、振り子ロッド３０１が後ろに振れる動作をする。
【００２８】
第二連結ロッド６０２は、軸接続状態でステップ装置３０の振り子ロッド３０１と、昇降装置４０の駆動ロッド４０１２の間に設置されていることにより、昇降装置４０とステップ装置３０、及び、ローイング装置２０が連動して動作する。
【００２９】
ローイングバー２０３が後ろに引っ張られて、ステップ装置３０の振り子ロッド３０１が前に振れると、昇降装置４０のキャリアロッド４０１を前方且つ下方へ引っ張るため、２個の昇降装置４０他端の連結ロッド４０２が垂直に上昇する。逆に、ローイングバー２０３が前に押され、ステップ装置３０の振り子ロッド３０１が後ろに振れると、昇降装置４０の連結ロッド４０２は連動して下に動く。
【００３０】
即ち、第一連結ロッド６０１、第二連結ロッド６０２の駆動は、ローイングバー２０３が後ろに引っ張られると、ステップ装置３０の振り子ロッド３０１が連動して前に振れる。そして、昇降装置４０の連結ロッド４０２の連結端が連動して上昇して、上に設置されたシート５０が伴って上昇動作する。逆に、ローイングバー２０３が前に押されると、ステップ装置３０の振り子ロッド３０１は連動して後ろに振れ、昇降装置４０の連結ロッド４０２の連結端が連動して下降し、上に設置されたシート５０が伴って下降動作をする。
【００３１】
図７、図８、図９、図１０を参照しながら説明する。負荷装置７０は、負荷板７０１を有し、昇降装置４０のキャリアロッド４０１部分に設置される。固定板７０２は、ベース１０並びに負荷板７０１の一側面に固定され。その上には摩擦片７０２１が設置されて負荷板７０１に対応する。活動片７０３は、固定栓７０３１によって固定板７０２に軸固定される。そして、負荷板７０１の他側面に位置し、調整栓７０４のストッパー７０４１として支え移動性の調整を行なう。その上には摩擦片７０３２が設置されて、負荷板７０１に対応する。活動片７０３は、更に上が薄く下が厚い斜面体７０３３を有し、調整栓７０４のストッパー７０４１を調整して支える。そして、長形の穴７０３４を有して調整栓７０４を貫通させるようになっている。
【００３２】
図７、図７−１、図８に示すように、ローイングバー２０３が前に押されて昇降装置４０のキャリアロッド４０１、及び、負荷装置７０の負荷板７０１が逐一下に振れる動作を行なうと、摩擦片７０３２が負荷板７０１の活動片７０３を支えることにより、固定栓７０３１を回転点にして負荷板７０１に伴って逐一下に振れる動作を行なう。
【００３３】
同時に、その調整栓７０４のストッパー７０４１が、斜面体７０３３の上が薄く下が厚い形状をしっかりと支える。
【００３４】
その逐一下に振れる支える力が徐々に減少して、摩擦片７０３２が負荷板７０１に与える摩擦力が連帯して減少する。
【００３５】
逆に、図９、図９−１、図１０に示すように、ローイングバー２０３が後ろに引っ張られて、昇降装置４０のキャリアロッド４０１、及び、負荷装置７０の負荷板７０１が逐一上に振れる動作を行なった時、活動片７０３が逐一上に振れて、斜面体７０３３がその下方のやや厚くなった部分が徐々に調整栓７０４のストッパーにしっかりと支えられて、摩擦片７０３２が連帯して負荷板７０１にやや大きい摩擦力を与える。
【００３６】
更に、図１１、図１２を参照しながら、上述の構成を利用した本考案の実施例を説明する。
【００３７】
シート５０に座り、両足でステップ装置３０のステップ３０２を踏む。両手がローイング装置２０のローイングバー２０３に対してローイング動作を実施した時、駆動装置６０があることにより、ステップ装置３０の振り子ロッド３０１が連動して前に振れることにより、両足が自然に前に伸びる。同時に、昇降装置４０は連動して上に触れ、シート５０及び使用者の体が垂直に上昇する。そうすると、ローイング装置２０及びステップ装置３０の両手、両足を駆動させて、直接力が入り、トレーニングおよび筋肉をほぐす効果が得られる。
【００３８】
また、両手がローイング装置２０のローイングバー２０３に対してローイングの前に押す動作をした時、駆動装置６０があることにより、ステップ装置３０の振り子ロッド３０１は連動して後ろに振れることにより、両足が自然に後ろに屈折し、次の前に伸びるための準備動作に入る。同時に、使用者自身の体重を利用してシート５０を下に押すことにより、昇降装置４０もまた駆動装置６０によって駆動されて連動し、逐一下降する。
【００３９】
こうして、使用者の体が直接前後に移動せずに垂直下降をすることにより、ローイング装置２０及びステップ装置３０が次に行なう動作の準備をし、これにより、何度も繰り返し、使用者が本考案を操作中に両足、両手及び腹部、胸部等全身のトレーニング及び筋肉をほぐす効果を果す目的を達成する。当然、使用者がシート５０に座って前後に移動しないことは、使用者が本考案を操作する際に、実際のローイングトレーニングにより近づき、リアル感を持たせ、おもしろみが増すという効果がある。更に、筋肉をほぐすという効果も高い。
【００４０】
上述のように、使用者がローイング動作を行なう際に発生する負荷は、主に使用者自身の体重がシート５０及び昇降装置４０にかける力から来るものであり、従来のように油圧シリンダーのダンパーによるものではない。故に、本考案の製作及びメンテナンス上のコストは明らかに低く抑えられる。
【００４１】
また、本考案は、使用者自身の体重をローイングトレーニングの負荷としている。そのため、その負荷装置７０は、他に昇降装置４０のキャリアロッド４０１に摩擦力を提供することが可能であり、使用者は必要に応じて、負荷装置７０を調整することで、適時にローイングトレーニングの付加の調整が可能である。
【００４２】
また、ベース１０に設置した支え装置８０は、調整栓８０２の高低を調整することにより、連動する昇降装置４０の駆動ロッド４０１２を調整して前に振れる角度を調整する。故に、使用者が実際の必要に応じて、支え装置８０を調整することで、ローイング装置２０のローイングバー２０３の角度、ステップ装置３０の振り子ロッドの前に振れる角度、そして、昇降装置４０及びシート５０が上昇する際の高度を調整することができる。
このように、本考案のローイングマシンは、従来の技術の問題を解決し、構造、操作が簡単で、製作時及びメンテナンス上のコストが低く抑えられる。
【図面の簡単な説明】
【００４３】
【図１】従来のローイングマシンの立体図である。
【図２】本考案の構造を示した立体図である。
【図３】本考案の部分構造を示した分解図である。
【図４】図２の側面図である。
【図５】本考案のローイングマシンのローイングバーが後ろに引っ張られた状態を示した図である。
【図６】本考案のローイングマシンのローイングバーが前に押された状態を示した図である。
【図７】本考案のローイングバーが前に押されて負荷装置に小さい摩擦力が生じた状態を示した側視図である。
【図７−１】図７の部分構造を示した拡大図である。
【図８】図７の側面図である。
【図９】本考案のローイングバーが後ろに引っ張られて負荷装置に大きい摩擦力が生じた状態を示した側視図である。
【図９−１】図９の部分構造を示した拡大図である。
【図１０】図９の側面図である。
【図１１】本考案の操作時の動作を示した図である。
【図１２】本考案の操作時の動作を示した図である。
【符号の説明】
【００４４】
1         平行スライドレール 
2        シート
3        回転パイプ
4        油圧シリンダー
5        十字型ジョイント
6        ローイングアーム  
7        ステップ
41        ピストン
10        ベース
20       ローイング装置
201       固定軸
202       カバー
2021     振れ板
2022      耳
203        ローイングバー
2031         固定栓
2032        グリップ
30          ステップ装置
301         振り子ロッド
3011        固定栓
302        ステップ
40          昇降装置
401        キャリアロッド  
4011         固定栓
4012        駆動ロッド  
402          連結ロッド
403          導入レール
50          シート
60          駆動装置
601         第一連結ロッド
602          第二連結ロッド
70          負荷装置
701          負荷板
702          固定板
7021        摩擦片
703          活動片
7031        固定栓
7032        摩擦片
7033         斜面体
7034        長形の穴
704          調整栓
7041        ストッパー
80          支え装置
801        ストッパー
802        調整栓
【図１】
0003130693.tif 000003
【図２】
0003130693.tif 000004
【図３】
0003130693.tif 000005
【図４】
0003130693.tif 000006
【図５】
0003130693.tif 000007
【図６】
0003130693.tif 000008
【図７】
0003130693.tif 000009
【図７−１】
0003130693.tif 000010
【図８】
0003130693.tif 000011
【図９】
0003130693.tif 000012
【図９−１】
0003130693.tif 000013
【図１０】
0003130693.tif 000014
【図１１】
0003130693.tif 000015
【図１２】
0003130693.tif 000016